(57)【要約】【課題】中空柱の内部が補強されていても、中空柱の内部の空洞に電線や信号線等のケーブル部材を容易にしかも確実に通すことができる中空柱を提供する。【解決手段】中空柱１は、下部が地中に埋設されて地上に立設される中空柱であって、中空柱１の空洞５に配置される補強部１０と、補強部１０を通ってケーブル部材Ｓを案内するための可撓管路材１１とを有し、中空柱１の内部が補強されていても、中空柱１の内部の空洞５に電線や信号線等のケーブル部材Ｓを通すことができる。【選択図】図２
2015034414.tif 000002
【特許請求の範囲】
【請求項１】
下部が地中に埋設されて地上に立設される中空柱であって、
前記中空柱の空洞に配置される補強部と、
前記補強部を通っておりケーブル部材を案内するための可撓管路材と、
を有することを特徴とする中空柱。
【請求項２】
前記補強部は、
複数のアラミドロッドと、
複数の鋼線と、
前記可撓管路材を通し、前記複数のアラミドロッドと前記複数の鋼線を前記中空柱の前記空洞内で前記中空柱の周方向に交互に均等に配置する均等配置治具と、
を有することを特徴とする請求項１に記載の中空柱。
【請求項３】
前記均等配置治具は、前記可撓管路材を通すための中央開口部を有することを特徴とする請求項２に記載の中空柱。
【請求項４】
前記中空柱の前記下部には、前記可撓管路材を前記中空柱の前記空洞内に挿入するための開口部が形成されていることを特徴とする請求項１ないし３のいずれかに記載の中空柱。
【発明の詳細な説明】
【技術分野】
【０００１】
本発明は、下部が地中に埋設されて地上に立設された、例えば各種鋼管柱やコンクリート電柱等の中空柱に関する。
【背景技術】
【０００２】
鋼管柱やコンクリート電柱等の中空柱は、通常その基端部の所定長部分が地中に埋設されて、地上に立設される。このような中空柱は、内部に空洞を有する中空の筒状体である。中空柱では、例えばその地中に埋設された地中部分と、地上に立設された地上部分との境の地際から、１ｍ程上方の側面に側面開口が形成されている。複数本の補強用棒状部材が、この側面開口を通じて中空柱の内部に挿入されることで、中空柱は補強されている（特許文献１を参照）。
【先行技術文献】
【特許文献】
【０００３】
【特許文献１】特開２０１１−１５７７６９号公報
【発明の概要】
【発明が解決しようとする課題】
【０００４】
ところが、上述した特許文献１に記載の中空柱では、中空柱の内部に、複数本の補強用棒状部材が挿入して補強されているので、この中空柱の内部の空洞に電線や信号線等のケーブル部材を通そうとする場合に、ケーブル部材を複数本の補強用棒状部材を避けて通すことが難しい。
【０００５】
本発明は、上記に鑑みてなされたもので、その目的とするところは、中空柱の内部が補強されていても、中空柱の内部の空洞に電線や信号線等のケーブル部材を容易にしかも確実に通すことができる中空柱を提供することにある。
【課題を解決するための手段】
【０００６】
上記課題を達成するため、請求項１に記載の中空柱は、下部が地中に埋設されて地上に立設される中空柱であって、前記中空柱の空洞に配置される補強部と、前記補強部を通っておりケーブル部材を案内するための可撓管路材と、を有することを要旨とする。
【０００７】
請求項１に記載の中空柱では、中空柱の内部が補強されていても、可撓管路材を通じて、中空柱の内部の空洞に電線や信号線等のケーブル部材を容易にしかも確実に通すことができる。
【０００８】
請求項２に記載の中空柱では、前記補強部は、複数のアラミドロッドと、複数の鋼線と、前記可撓管路材を通し、前記複数のアラミドロッドと前記複数の鋼線を前記中空柱の前記空洞内で前記中空柱の周方向に交互に均等に配置する均等配置治具と、を有する。
【０００９】
請求項２に記載の中空柱では、補強部の複数のアラミドロッドと複数の鋼線は、均等配置治具により均等に配置することで中空柱を周方向に均一に補強でき、しかもこの均等配置治具は可撓管路材を通すことができる。
【００１０】
請求項３に記載の中空柱では、前記均等配置治具は、前記可撓管路材を通すための中央開口部を有する。
【００１１】
請求項３に記載の中空柱では、可撓管路材は、均等配置治具の中央開口部を通じて容易にしかも確実に中空柱の空洞内を通すことができる。
【００１２】
請求項４に記載の中空柱では、前記中空柱の前記下部には、前記可撓管路材を前記中空柱の前記空洞内に挿入するための開口部が形成されている。
【００１３】
請求項４に記載の中空柱では、可撓管路材は、中空柱の下部の開口部を通じて中空柱の空洞内に容易に導入することができる。
【発明の効果】
【００１４】
本発明によれば、中空柱の内部が補強されていても、中空柱の内部の空洞に電線や信号線等のケーブル部材を容易にしかも確実に通すことができる中空柱を提供できる。
【図面の簡単な説明】
【００１５】
【図１】本発明の中空柱の実施形態を示す正面図である。
【図２】図１に示す中空柱と、この中空柱の空洞内に配置されている中空柱の補強部と、電線や通信線等のケーブル部材を案内する可撓管路材を示す斜視図である。
【図３】均等配置治具の構造例を示す平面図である。
【発明を実施するための形態】
【００１６】
以下、図面を用いて、本発明を実施するための形態(以下、実施形態と称する)を説明する。
【００１７】
図１は、本発明の中空柱の実施形態を示す正面図である。図２は、図１に示す中空柱１と、この中空柱１の空洞５内に配置されている中空柱の補強部１０と、電線や通信線等のケーブル部材Ｓを案内する可撓管路材１１を示す斜視図である。
【００１８】
図１に示す中空柱１は、例えばテーパの無い鋼管柱である。しかし、本発明の中空柱としては、これに限らずテーパの有る鋼管柱や、コンクリート製柱（例えばテーパの有るコンクリート製電柱やテーパの無いコンクリート製電柱）が含まれる。
【００１９】
図１では、中空柱１の上部の図示が省略されている。中空柱１の基端部２から所定長の下部が地中部分３として地中に埋設されて立設され、中空柱１の残りの部分は、地上部分４として地上に現れる。中空柱１の基端部２は閉じている。
【００２０】
図１と図２に示すように、中空柱１の内部構造は、内径が長さ方向に沿って一定の空洞５を有しており、中空の筒状体である。図１に示すように、この中空柱１の地中部分３には、開口部６が設けられており、地上部分４には、側部開口７が設けられている。この開口部６は、例えば長方形状を有しており、中空柱１の長手方向Ｚに沿って形成されている。側部開口７は、例えば縦長の長方形状を有しており、中空柱１の長手方向Ｚに沿って形成されている。
【００２１】
また、図１に示すように、中空柱１の地上部分４には、必要に応じて、電線や通信線等のケーブル部材Ｓを中空柱１内から取出すための開口部８が形成されている。
【００２２】
後で詳しく説明するが、図１に示す中空柱の補強部１０は、この中空柱１の地中部分３と地上部分４との境の地際９を補強するために、地際９を挟んで中空柱１の空洞５内において、その長手方向Ｚに沿って配置されている。
【００２３】
このように、中空柱の補強部１０が、この中空柱１における地際９を含む範囲に配置されて補強されているのは、次の理由からである。すなわち、中空柱１における地際９の部分が、地中部分３の支持強度と地上部分４の支持強度の差により曲がったり折れ易く、例えば車両が中空柱１に当たると、その地際９の付近の部分から折れ曲がり易い。また、地際９の付近の部分には、例えば犬等が尿をかけることが多いことから、他の部分に比べて腐食し易いために、中空柱１は地際９の付近の部分から倒壊するおそれもある。以上の理由から、中空柱の補強部１０は、この中空柱１の地中部分３と地上部分４との境の地際９を補強している。
【００２４】
図２に示すように、中空柱１では、その地中部分３から地上部分４に渡ってその一部が切り欠かれており、中空柱１の空洞５内の補強部１０が図示されている。中空柱の補強部１０は、中空柱１の空洞５内に配置されており、図２に例示する中空柱の補強部１０は、複数本のアラミドロッド１３と、複数本のＰＣ鋼線１４と、複数の均等配置治具２０を有している。
【００２５】
図示例では、４本のアラミドロッド１３と４本のＰＣ鋼線１４が用いられており、アラミドロッド１３はＰＣ鋼線１４に比べて太い。しかし、アラミドロッド１３とＰＣ鋼線１４の各本数や太さの大小は、特に限定されない。
【００２６】
図２に示すように、一例として５つの均等配置治具２０が用いられているが、均等配置治具２０の数は、特に限定されない。５つの均等配置治具２０は、中空柱１の空洞５内において中空柱１の内面１Ａに接するようにして、しかも長手方向Ｚに沿って同じ配置間隔をおいて配置されている。
【００２７】
各均等配置治具２０の構造例は、図３に示している。図３は、この均等配置治具２０の平面図である。
【００２８】
図３に示すように、均等配置治具２０は、例えばプラスチックより円形状に作られている。均等配置治具２０は、リング状の外郭部２１と、複数のアラミドロッド挿入部２２と、ＰＣ鋼線挿入部２３と、中央開口部２０Ｐを有している。中央開口部２０Ｐは、図２に示す複数のアラミドロッド挿入部２２とＰＣ鋼線挿入部２３と外郭部２１により形成されており、中央開口部２０Ｐは、後で説明する可撓管路材１１を長手方向Ｚに沿ってスムーズに通すための開口部分である。
【００２９】
４つのアラミドロッド挿入部２２が、外郭部２１の内面２４において、９０度毎に内側に突出して形成されている。４つのＰＣ鋼線挿入部２３が、外郭部２１の内面２４において、９０度毎に内側に突出して形成されている。各ＰＣ鋼線挿入部２３は、両隣のアラミドロッド挿入部２２，２２の間において、両隣のアラミドロッド挿入部２２，２２の中央位置に設けられている。すなわち、各アラミドロッド挿入部２２と各ＰＣ鋼線挿入部２３は、外郭部２１の内面２４において、４５度毎に交互に設けられている。
【００３０】
これにより、図２に示すように、均等配置治具２０の各アラミドロッド挿入部２２と各ＰＣ鋼線挿入部２３には、４本のアラミドロッド１３と４本のＰＣ鋼線１４をそれぞれ通すことにより、アラミドロッド１３とＰＣ鋼線１４は、配列角度４５度毎に、交互に、外郭部２１の内面２４において、中空柱１の空洞５の周方向に沿って均等に配置することができる。これにより、補強部１０の複数のアラミドロッド１３と複数の鋼線１４は、均等配置治具２０により均等に配置することで、中空柱１を周方向に均一に補強できる。なお、均等配置治具２０は、ロッド配置用のスペーサともいう。
【００３１】
図３に示すように、均等配置治具２０の外郭部２１の外面２５には、プラスチックテープ布、例えばアラミドテープ布２６が好ましくは２重、３重に巻かれて設けられている。アラミドテープ布２６は、均等配置治具２０の外郭部２１が外力を受けて割れてしまうのを防止するために設けられている。
【００３２】
これにより、プラスチック製の均等配置治具２０の外郭部２１には、アラミドテープ布２６を用いることにより、均等配置治具２０の外郭部２１が中空柱１の空洞５内において割れるのを防止できるので、均等配置治具２０は、各アラミドロッド挿入部２２と各ＰＣ鋼線挿入部２３の配置位置の保持を確保できる。
【００３３】
次に、図１と図２に示す電線や通信線等のケーブル部材Ｓを案内するための可撓管路材１１について説明する。
【００３４】
この可撓管路材１１としては、地中埋設管として使用可能な、例えば波付き硬質ポリエチレン管を用いることができる。可撓管路材１１は、所定ピッチを有するらせん型の波付き部分１１Ａを有している。可撓管路材１１は、波付き部分１１Ａを有する管を用いることにより、偏平圧縮強度を高め、適度な可撓性を持たせることができる。
【００３５】
図１と図２に示すように、可撓管路材１１は、地中部分３の開口部６から入れて、中空柱１の空洞５内に通して配置することで、図１に示すように、電線や通信線等のケーブル部材Ｓは、可撓管路材１１を通って、地中部分３の開口部６から、例えば地上部分４の開口部８より、中空柱１の外部に導き出せるようになっている。
【００３６】
次に、上述した中空柱１の組立例を説明する。
【００３７】
例えば、図１と図２に示すように、可撓管路材１１は、地中部分３の開口部６から入れて、中空柱１の空洞５内に配置する。この場合に、図２に示すように、可撓管路材１１の上端部１１Ｔは、中空柱１の空洞５内に位置されている。
【００３８】
図１に示す中空柱１の空洞５内には、例えば側部開口７を通じて、例えば図２に示すように５つの均等配置治具２０が、中空柱１の長手方向Ｚに沿って配置される。これらの均等配置治具２０の各アラミドロッド挿入部２２と各ＰＣ鋼線挿入部２３には、４本のアラミドロッド１３と４本のＰＣ鋼線１４をそれぞれ通すことで、アラミドロッド１３とＰＣ鋼線１４は、配列角度４５度毎に、交互に、外郭部２１の内面２４において、均等に配置される。従って、中空柱の補強部１０が、この中空柱１の空洞５内に配置でされる。
【００３９】
これにより、中空柱の補強部１０が、この中空柱１における地際９を含む範囲に配置されることで、中空柱１の地際９を含む地中部分３から地上部分４の範囲が補強され、中空柱１における地際９の部分が、地中部分３の支持強度と地上部分４の支持強度の鎖により曲がったり折れ易くなるのを防ぐことができる。また、例えば車両が中空柱１に当っても、その地際９の付近の部分から折れ曲るのを抑制できる。さらに、地際９の付近の部分には、例えば犬等が尿をかけることが多いことから他の部分に比べて腐食し易いが、中空柱１が地際９の付近の部分から倒壊することを抑制できる。
【００４０】
この状態では、可撓管路材１１は、各均等配置治具２０の中央開口部２０Ｐに通っている。図２に示すように、電線や通信線等のケーブル部材Ｓは、例えば共用溝内から、上述したように挿入された可撓管路材１１の中に通すことで、地中部分３の開口部６から、例えば地上部分４の開口部８より、中空柱１の外部へ導き出すことができる。
【００４１】
これにより、中空柱の補強部１０が、この中空柱１における地際９を含む地中部分３から地上部分４の範囲に配置されて補強されても、電線や通信線等のケーブル部材Ｓは、例えば共用溝内から、上述したように挿入された可撓管路材１１の中に通すだけで良い。従って、中空柱１の内部の空洞５に電線や信号線等のケーブル部材Ｓを通す作業を、容易にしかも確実に行える。
【００４２】
本発明の実施形態の中空柱は、下部が地中に埋設されて地上に立設される中空柱であって、中空柱の空洞に配置される補強部と、補強部を通っておりケーブル部材を案内するための可撓管路材と、を有する。これにより、中空柱の内部が補強されていても、可撓管路材を通じて、中空柱の内部の空洞に電線や信号線等のケーブル部材を容易にしかも確実に通すことができる。
【００４３】
中空柱では、補強部は、複数のアラミドロッドと、複数の鋼線と、可撓管路材を通し、複数のアラミドロッドと複数の鋼線を中空柱の空洞内で中空柱の周方向に交互に均等に配置する均等配置治具と、を有する。これにより、補強部の複数のアラミドロッドと複数の鋼線は、均等配置治具により均等に配置することで中空柱を周方向に均一に補強できる。しかも、均等配置治具は可撓管路材を通すことができる。
【００４４】
均等配置治具は、可撓管路材を通すための中央開口部を有する。これにより、可撓管路材は、均等配置治具の中央開口部を通じて容易に中空柱の空洞内を通すことができる。
【００４５】
中空柱の下部には、可撓管路材を中空柱の空洞内に挿入するための開口部が形成されている。これにより、可撓管路材は、中空柱の下部の開口部を通じて中空柱の空洞内に容易に導入することができる。
【００４６】
以上、実施形態を挙げて本発明を説明したが、各実施形態は一例であり、特許請求の範囲に記載される発明の範囲は、発明の要旨を逸脱しない範囲内で種々変更できるものである。
【００４７】
例えば、可撓管路材の形状や材質は、可撓性を有するチューブであれば、特に限定されない。中空柱の空洞内に設定される均等配置治具の数は、中空柱のサイズや種類に応じて、５つに限らず、４つ以下、あるいは６つ以上であっても良い。図示例の中空柱は鋼管柱であるが、これに限らず空洞を有するコンクリート製柱であっても良い。
【符号の説明】
【００４８】
１      中空柱
２      中空柱の基端部
３      中空柱の地中部分
４      中空柱の地上部分
５      中空柱の空洞
１０    中空柱の補強部
１１    可撓管路材
１３    アラミドロッド
１４    鋼線
２０    均等配置治具
２０Ｐ  均等配置治具の中央開口部
２１    均等配置治具の外郭部
２２    アラミドロッド挿入部
２３    ＰＣ鋼線挿入部
２６    アラミドテープ布
Ｓ      ケーブル部材
【図１】
2015034414.tif 000003
【図２】
2015034414.tif 000004
【図３】
2015034414.tif 000005